(57)【要約】【課題】電気炊飯器の新規なＤＣコンバーター保護回路を提供すること。【解決手段】本考案は、過度電圧がかかった時、一定時間を引き延ばさせるための外部電源に繋がれた電圧遅延部と、ＤＣコンバーター回路の入力端に繋がれて過度電圧を規定電圧以下に制限する電圧制限部と、電圧遅延部と電圧制限部の間に繋がれて過度電圧がかかる時にその一部を吸収する電圧吸収部で成り立っていることを特徴とする電気炊飯器のＤＣコンバーター保護回路である。これにより、電気炊飯器の電源供給装置であるＤＣコンバーターの内部及び外部にかかる過電圧を制限してＤＣコンバーターを保護するものである。【選択図】図１
0003124243.tif 000002
【実用新案登録請求の範囲】
【請求項１】
過度電圧がかかる時に一定時間引き延ばさせるために外部電源に繋がれた電圧遅延部と、
電気炊飯器のＤＣコンバーター回路の入力端に繋がれて過度電圧を規定電圧以下に制限する電圧制限部と、
電圧遅延部と電圧制限部の間に繋がれて過度電圧がかかる時にその一部を吸収する電圧吸収部と
の三部で成り立っていることを特徴とする電気炊飯器のＤＣコンバーター保護回路。
【請求項２】
電圧制限部と電圧吸収部は、外部電源とＤＣコンバーターに対して並列に繋がれて、電圧遅延部は外部電源とＤＣコンバーターに対して直列に繋がれていることを特徴とする、請求項１に記載の電気炊飯器のＤＣコンバーター保護回路。
【請求項３】
電圧制限部は、バリスターで構成されていることを特徴とする、請求項１または２に記載の電気炊飯器のＤＣコンバーター保護回路。
【請求項４】
電圧遅延部は、コイル抵抗もしくはチョークコイルで構成されていることを特徴とする、請求項３に記載の電気炊飯器のＤＣコンバーター保護回路。
【請求項５】
電圧吸収部は、コンデンサーで構成されていることを特徴とする、請求項３に記載の電気炊飯器のＤＣコンバーター保護回路。
【考案の詳細な説明】
【技術分野】
【０００１】
本考案は電気炊飯器のＤＣコンバーター保護回路に関するもので、特に電気炊飯器の電源供給装置であるＤＣコンバーターの内部及び外部から過度電圧がかかることを防止する電気炊飯器のＤＣコンバーター保護回路に関するものである。
【背景技術】
【０００２】
従来の電気炊飯器は過電圧の保護手段として電流または電圧ヒューズを使って製品の忘失や火事の憂慮に備えているが、国内の安定していない電源事情、落雷、静電気、外部ノイズ、内部サージなどを考慮する時、内部及び外部で発生する過電圧を充分に制限できずに電気炊飯器の電源供給装置の忘失を発生したり火事などを発生したりする問題があった。
【０００３】
特に、最近の電気炊飯器に使われている電子誘導加熱式のＤＣコンバーター回路は、自体電力が高い関係でショートが多く発生した。これによってＤＣコンバータースイッチング素子などに破損が発生する問題点があった。
【考案の開示】
【考案が解決しようとする課題】
【０００４】
上述したような問題点を解決するために、電気炊飯器の電源供給装置であるＤＣコンバーターの内部及び外部からかかる過電圧を制限することにより、ＤＣコンバーターのスイッチング素子を保護するＤＣコンバーター保護回路を提供することを本考案の目的とする。
【０００５】
また、ＤＣコンバータースイッチング素子の正常動作により、上記の電気炊飯器が安定的に作動して電気炊飯器の忘失を防止することを本考案のもうひとつの目的とする。
【０００６】
また、電気炊飯器の電源供給装置であるＤＣコンバーターの内部及び外部からかかる過電圧を制限して過熱による事故を防止することを本考案のそのほかの目的とする。
【課題を解決するための手段】
【０００７】
上述したような目的を果たすための本考案は過度電圧がかかる時、一定時間を引き延ばさせるための外部電源に繋がれた電圧遅延部と、ＤＣコンバーター回路の入力端に繋がれて過度電圧を規定電圧以下に制限する電圧制限部と、電圧遅延部と電圧制限部の間に繋がれて過度電圧がかかる時、その一部を吸収する電圧吸収部で成り立っていることを特徴とする電気炊飯器のＤＣコンバーター保護回路である。
【０００８】
また、電圧制限部は外部電源とＤＣコンバーターに対して並列に繋がれ、電圧吸収部は電圧制限部とＤＣコンバーターに対して並列に繋がれ、電圧遅延部は電圧吸収部と外部電源の間で外部電源に対して直列に繋がれているのが特徴である。
【０００９】
本考案の他の特徴で、電圧遅延部は過度電圧がかかる時、一定時間を引き延ばさせるためのコイル抵抗で構成されていることを特徴とする電気炊飯器のＤＣコンバーター保護回路である。
【００１０】
本考案のもうひとつの特徴として、電圧制限部は規定電圧以上の電圧を制限するバリスターで構成されていることを特徴とする電気炊飯のＤＣコンバーター保護回路である。
【００１１】
本考案のそのほかの特徴として、電圧吸収部は過渡電圧がかかる時に一部電圧を吸収するコンデンサーで構成されていることを特徴とする電気炊飯器のＤＣコンバーター保護回路である
【考案の効果】
【００１２】
上述したような構成及び作用による本考案の主要効果は電気炊飯器の電源供給装置であるＤＣコンバーターの内部及び外部からかかる過電圧を制限することで、ＤＣコンバーターのスイッチング素子を保護することにある。
【００１３】
また、ＤＣコンバーターのスイッチング素子の正常動作により、電気炊飯器が安定的に動作するようにして電気炊飯の品質を進めるのが本考案のもうひとつの効果である。
【００１４】
また、電気炊飯器の電源供給装置であるＤＣコンバーターの内部及び外部からかかる過電圧を制限して過熱による事故を防止することで安全性を高めるのが本考案のそのほかの効果である。
【００１５】
以下では上述したような本考案の構成について詳しく説明する。
【考案を実施するための最良の形態】
【００１６】
図１及び図２は本考案を構成する電気炊飯器のＤＣコンバーター保護回路の回路図で、図３は本考案を構成するバリスターの電流-電圧の特性を表したグラフである。
【００１７】
図１で見るように、本考案であるＤＣコンバーター保護回路（１）は外部電源（３）とＤＣコンバーター（２）の間に繋がれて、電圧遅延部（１０）と、電圧制限部（３０）と電圧吸収部（２０）を含む。
【００１８】
ＤＣコンバーター（２）は電気炊飯器の電源供給装置で、入力端（Ｉ・Ｉ’）と出力端（Ｏ・Ｏ’）を含む。
【００１９】
外部電源（３）は電気炊飯器の外部で電気炊飯が必要とする電源を供給する。
【００２０】
電圧遅延部（１０）はＤＣコンバーター（２）の入力端（Ｉ・Ｉ’）と外部電源（３）の間に直列に繋がれてＤＣコンバーター（２）の内部及び外部に過電圧がかかる場合、一定時間を引き延ばさせる。電圧制限部（３０）は入力端（Ｉ・Ｉ’）と外部電源（３）にそれぞれ並列に繋がれて外部から入力端（Ｉ・Ｉ’）にかかる電圧を制限してＤＣコンバーター（２）の内部電圧を分散させる。上記の電圧吸収部（２０）は入力端（Ｉ・Ｉ’）と外部電源（３）に並列に繋がれて、外部から入力端（Ｉ・Ｉ’）にかかる電圧を一定に維持し、ＤＣコンバーター（２）の内部電圧を分散させる。
【００２１】
図２で見るように、本考案のもうひとつの特徴で、上記の電圧遅延部（１０）はＤＣコンバーター（２）の内部及び外部に過度電圧がかかる時に電圧を一定時間引き延ばさせるためのコイル抵抗（１１）で構成される。また、コイル抵抗（１１）と一緒に電圧を一定時間引き延ばさせるためのチョークコイルで構成することができる。また、電圧制限部（３０）はバリスター（３）で構成されていることで、電圧吸収部（２０）はコンデンサー（２１）で構成されているのである。
【００２２】
以下で上述したような構成による本考案の作用について詳しく説明する。
【００２３】
図２で見るように、ＤＣコンバーター（２）の入力端（Ｉ・Ｉ’）に直列に繋がれたコイル抵抗（１１）はコイル抵抗（１１）の両端の急激な電圧変化を一定時間引き延ばさせる。また、コイル抵抗（１１）と一緒に電圧を一定時間引き延ばさせるためのチョークコイルで構成される場合にも上述したような作用をする。
【００２４】
ＤＣコンバーター（２）の入力端（Ｉ・Ｉ’）に並列に繋がれたバリスター（３１）は図３で見るような電圧-電流の特性を持つ。バリスター（３１）は規定電圧以下では絶縁体になって保護回路の動作に必要な電流と電圧に影響を与えないで、規定電圧以上では導体になって過度電圧を制限することができるようになる。したがって、バリスター（３１）両端の電圧は図３で見るようにバリスター（３１）公称電圧の内にだけ許容される。
【００２５】
ＤＣコンバーター（２）の入力端（Ｉ・Ｉ’）に並列に繋がれたコンデンサー（２１）は電圧の変化がない時は電流が流れないが、電圧の変化がある時は電流が流れるようになる。また、電荷量一定の法則によってコンデンサー（２１）両端の急激な電圧変化を許容せず、急激な電圧の変化の時にこれを吸収する。
【００２６】
したがって、ＤＣコンバーター（２）の入力端（Ｉ・Ｉ’）の内部及び外部に静電気、外部ノイズ、内部サージなどの過電圧がかかる場合、コイル抵抗（１１）もしくはチョークコイルが一定時間過電圧を引き延ばさせて、コンデンサー（２１）が過電圧を吸収して電圧を一定するように維持させる。また、過電圧がバリスター（３１）公称電圧を超過する場合にはバリスター（３１）が過電圧を制限するようになる。
【００２７】
上述したような構成及び作用によって電気炊飯器のＤＣコンバーター（２）は一定の電圧を維持するようになって内部及び外部にかかる過電圧に影響を受けない。
【００２８】
以上、説明したように、本考案は上述した望ましい使用方法だけではなく、今回請求する本考案の要旨を脱しない限り、通常の知識を持った人であれば誰でも多様な使用形態の実施が可能なことは勿論、そのような形態は実用新案登録請求の範囲に記載の範囲内に示す。
【図面の簡単な説明】
【００２９】
【図１】本考案を構成するＤＣコンバーター保護回路の回路図。
【図２】本考案を構成するＤＣコンバーター保護回路の回路図。
【図３】本考案を構成するバリスターの電圧-電流特性図。
【符号の説明】
【００３０】
１…ＤＣコンバーター保護回路
２…ＤＣコンバーター
３…外部電源
１０…電圧遅延部
１１…コイル抵抗
２０…電圧吸収部
２１…コンデンサー
３０…電圧制限部
３１…バリスター
【図１】
0003124243.tif 000003
【図２】
0003124243.tif 000004
【図３】
0003124243.tif 000005